(57)【要約】【課題】ＳＴＡと接続しているＡＰを含む複数のＡＰが、効率よくビーム選択プロトコルを実施することができる基地局制御装置、基地局装置、および、制御方法を提供する。【解決手段】基地局制御装置は、無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定するトレーニングパケット数量決定部と、前記決定したトレーニングパケットの数量を前記第１の基地局装置へ通知する通知部と、を備える。【選択図】図２
2018110336.tif 000002
【特許請求の範囲】
【請求項１】
無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定するトレーニングパケット数量決定部と、
前記決定したトレーニングパケットの数量を前記第１の基地局装置へ通知する通知部と、
を備える、
基地局制御装置。
【請求項２】
前記トレーニングパケット数量決定部は、前記数量Ｍおよび前記数量Ｓに１加算した数量のうち、大きい方の数量を前記トレーニングパケットの数量として決定する、
請求項１に記載の基地局制御装置。
【請求項３】
前記第２の基地局装置が複数存在する場合、前記トレーニングパケット数量決定部は、前記複数の第２の基地局装置それぞれの前記第２のビームパターンの数量のうち、最大の数量を前記第２のビームパターンの数量Ｓとして設定する、
請求項２に記載の基地局制御装置。
【請求項４】
接続していない無線端末から送信される複数のトレーニングパケットを受信する受信部と、
前記受信した複数のトレーニングパケットの受信品質を算出する受信品質算出部と、
を備え、
前記受信部は、無指向性のビームパターンを使用して、前記複数のトレーニングパケットのうち、最初のトレーニングパケットを受信した後に指向性のビームパターンに切替え、前記最初のトレーニングパケットの後に続く前記複数のトレーニングパケットを受信し、
前記受信品質算出部は、前記指向性のビームパターンを使用して受信した前記複数のトレーニングパケットの受信品質を算出する、
基地局装置。
【請求項５】
複数の基地局装置を制御する制御方法において、
無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定し、
前記決定したトレーニングパケットの数量を前記第１の基地局装置へ通知する、
制御方法。
【発明の詳細な説明】
【技術分野】
【０００１】
本開示は、無線端末と効率よくビーム選択プロトコルを実施する基地局制御装置、基地局装置および制御方法に関する。
【背景技術】
【０００２】
近年、高速な通信が可能であって、免許が不要な、ミリ波帯（例えば、６０ＧＨｚ帯等）の無線信号を使用するミリ波通信が普及している。ミリ波通信を採用した無線通信の規格として、例えば、ＷｉＧｉｇ（Wireless Gigabit）、Ｗｉｒｅｌｅｓｓ  ＨＤ（High Definition）、ＥＣＭＡ−３８７、ＩＥＥＥ８０２．１５．３ｃ、ＩＥＥＥ８０２．１１ａｄ等の規格がある。
【０００３】
ミリ波帯の無線信号は、直線性が強く、空間伝搬損失が大きいという電波特性を有する。このため、一般的なミリ波通信では、複数のアンテナを用いて無線信号の指向性を制御するビームフォーミングが用いられる。
【０００４】
ビームフォーミングとは、無線通信装置が、指向性を有する通信エリアであるビームの方向や幅を制御し、ビームを通信相手の位置に追従させる技術である。
【０００５】
ビームフォーミング技術が制定されているミリ波帯の無線通信規格として、例えばＩＥＥＥ８０２．１１ａｄ規格がある（非特許文献１）。非特許文献１には、複数のビームパターンから通信に使用するビームパターンを選択する方法（ビーム選択プロトコル）として、通信する２つの無線通信装置（例えば、ＡＰ（Access Point）と無線端末（ＳＴＡ：Station））の一方の無線通信装置（例えば、ＳＴＡ）が最適なビームパターンを選択するための情報を含むトレーニングパケットを送信し、他方の無線通信装置（例えば、ＡＰ）がビームパターンを切替えながらトレーニングパケットを受信することにより、他方の無線通信装置（例えば、ＡＰ）が最も通信に適したビームパターンを選択することが記載されている。
【０００６】
また、複数のアクセスポイントと無線端末が存在する通信システムにおいて、無線端末が高速にアクセスポイント間のローミングを実現する方法が記載されている（特許文献１）。
【先行技術文献】
【特許文献】
【０００７】
【特許文献１】特許第５３０５４５３号公報
【非特許文献】
【０００８】
【非特許文献１】IEEE 802.11ad-2012 IEEE Standard for Information Technology-Telecommunications and Information Exchange between systems-Local and Metropolitan networks-Specific requirements-Part 11: Wireless LAN Medium Access Control (MAC) and Physical Layer (PHY) Specifications Amendment 3: Enhancements for Very High Throughput in the 60 GHz Band, 9.35 DMG beamforming, 28 December 2012
【発明の概要】
【発明が解決しようとする課題】
【０００９】
しかしながら、非特許文献１に記載されたビーム選択プロトコルでは、１つのＡＰと、１つのＡＰに接続している１つＳＴＡとの間で実施されることが開示されており、複数のＡＰが、ＳＴＡとビーム選択プロトコルを実施する形態については開示されていない。
【００１０】
また、特許文献１に記載されたローミングの方法では、事前にＡＰのリストをＳＴＡに通知する必要がある。また、ＳＴＡは、通知されたリストに基づいて、各ＡＰと接続を行う処理を追加するため、効率が悪い。
【００１１】
本開示の非限定的な実施例は、ＳＴＡと接続しているＡＰを含む複数のＡＰが、効率よくビーム選択プロトコルを実施することができる基地局制御装置、基地局装置、および、制御方法を提供することである。
【課題を解決するための手段】
【００１２】
本開示の一態様に係る基地局制御装置は、無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定するトレーニングパケット数量決定部と、前記決定したトレーニングパケットの数量を前記第１の基地局装置へ通知する通知部と、を備える。
【００１３】
本開示の一態様に係る基地局装置は、接続していない無線端末から送信される複数のトレーニングパケットを受信する受信部と、前記受信した複数のトレーニングパケットの受信品質を算出する受信品質算出部と、を備え、前記受信部は、無指向性のビームパターンを使用して、前記複数のトレーニングパケットのうち、最初のトレーニングパケットを受信した後に指向性のビームパターンに切替え、前記最初のトレーニングパケットの後に続く前記複数のトレーニングパケットを受信し、前記受信品質算出部は、前記指向性のビームパターンを使用して受信した前記複数のトレーニングパケットの受信品質を算出する。
【００１４】
本開示の一態様に係る制御方法は、複数の基地局装置を制御する制御方法において、無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定し、前記決定したトレーニングパケットの数量を前記第１の基地局装置へ通知する。
【００１５】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１６】
本開示の一態様によれば、ＳＴＡと接続しているＡＰを含む複数のＡＰが、効率よくビーム選択プロトコルを実施することができる。
【００１７】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１８】
【図１】本開示の実施の形態に係る無線通信システムの構成の一例を示す図
【図２】本開示の実施の形態に係るＡＰＣの構成の一例を示す図
【図３】本開示の実施の形態に係るＡＰの構成の一例を示す図
【図４】本開示の実施の形態に係るＳＴＡの構成の一例を示す図
【図５】本開示の実施の形態におけるビームパターンの一例を示す図
【図６】本開示の実施の形態におけるトレーニングパケット数量の決定方法の一例を示す図
【図７】本開示の実施の形態におけるトレーニングパケット数量の決定方法の具体例を示す図
【図８】図７のケース１におけるビーム選択プロトコルの動作の一例を示す図
【図９】図７のケース２におけるビーム選択プロトコルの動作の一例を示す図
【図１０Ａ】本開示の実施の形態におけるビーム選択プロトコルのシーケンスの一例を示す図
【図１０Ｂ】本開示の実施の形態におけるビーム選択プロトコルのシーケンスの一例を示す図
【図１１】図１０に基づくビーム選択プロトコルの動作の一例を示す図
【発明を実施するための形態】
【００１９】
ＩＥＥＥ８０２．１１ａｄでは、ビーム選択プロトコルとしてＳＬＳ（Sector Level Sweep）が規定されている。ＳＬＳは、ＡＰ（Access Point）とそのＡＰに接続を要求している無線端末（ＳＴＡ：Station）の間で、ビームと呼ばれる指向性パターンを切り替えながら、複数のトレーニングパケットの送信及び受信を行うことによって、最適なビームを選択する方法である。
【００２０】
ＳＴＡは、まず、ＡＰと接続するために、通信相手となるＡＰ（第１のＡＰ）を探索し、接続処理を行う。その後、第１のＡＰとＳＴＡとの間でＳＬＳが実施され、第１のＡＰとＳＴＡは、それぞれ、最適なビームを選択する。そして、第１のＡＰとＳＴＡとは、選択したビームを使用してデータ通信を実施し、データ通信の終了後、接続を解除する。
【００２１】
したがって、ＳＴＡと接続していないＡＰ（第２のＡＰ）がＳＴＡとＳＬＳを実施するためには、ＳＴＡを第１のＡＰから第２のＡＰへハンドオーバーさせ、ＳＬＳを実施するため接続処理の効率が悪い。
【００２２】
ＳＬＳには、複数のトレーニングパケットの送信に用いた複数の送信ビームパターンのうち、無線通信装置（例えば、ＡＰまたはＳＴＡ）の最良の送信ビームパターンを決定するＴＸＳＳ（Transmit Sector Sweep）と、複数のトレーニングパケットの受信に用いた複数の受信ビームパターンのうち、無線通信装置の最良の受信ビームパターンを決定するＲＸＳＳ（Receive Sector Sweep）との２つビーム選択プロトコルが規定されている。
【００２３】
ＴＸＳＳでは、ビーム選択プロトコルを行う第１のＡＰとＳＴＡとのうち、第１のＡＰが指向性のある複数の送信ビームパターンを切り替えてトレーニングパケットを送信し、ＳＴＡが１つの受信ビームパターンを使用して複数のトレーニングパケットを受信する。そして、ＳＴＡが、最も受信品質の高いトレーニングパケットに含まれるビームパターン情報を第１のＡＰにフィードバックすることで、第１のＡＰの最適な送信ビームパターンが決定する。
【００２４】
一方、ＲＸＳＳでは、ビーム選択プロトコルを行う第１のＡＰとＳＴＡのうち、ＳＴＡが同一のビームパターンを使用して複数のトレーニングパケットを送信し、第１のＡＰが複数の受信ビームパターンを切り替えて複数のトレーニングパケットを受信する。そして、第１のＡＰがビームパターン毎に受信品質を測定し、使用する受信ビームパターンを決定する。
【００２５】
つまり、ＲＸＳＳにおいては、指向性のある受信ビームパターンを切り替えてトレーニングパケットを受信すればよいため、トレーニングパケットを送信するＳＴＡと接続していない第２のＡＰでも、トレーニングパケットを受信して受信ビームパターン毎の受信品質を測定することができる。本開示は、この点に着目したものである。
【００２６】
以下、本開示の実施の形態について、図面を参照して詳細に説明する。なお、以下に説明する実施の形態は一例であり、本開示は以下の実施の形態により限定されるものではない。
【００２７】
（一実施の形態）
図１は、本実施の形態に係る無線通信システム１０の構成の一例を示す図である。図１に示す無線通信システム１０は、アクセスポイントコントローラ（ＡＰＣ：Access Point Controller）１１と、アクセスポイント（ＡＰ：Access Point）１２と、ＡＰ１３と、ＡＰ１４と、無線端末（ＳＴＡ：wireless Station）１５とを備える。
【００２８】
はじめに、図１に示す無線通信システム１０において実行される処理の概要を説明する。なお、以下の説明では、ＳＴＡ１５は、ＡＰ１２と接続済である状態とする。
【００２９】
ＡＰ１２、ＡＰ１３及びＡＰ１４は、ＳＴＡ１５から送信されるトレーニングパケットを受信することで、受信品質を測定し、例えば、測定したビームパターン毎の受信品質をＡＰＣ１１に通知する。ＡＰＣ１１は、ＡＰ１２、ＡＰ１３及び１４から取得したビームパターン毎の受信品質を用いて、ＳＴＡ１５の位置を推定する。また、ＳＴＡ１５と接続していないＡＰ１３及びＡＰ１４は、受信品質を測定することで、例えば、ＳＴＡ１５と接続認証処理をする前に、受信品質のよいビームパターンを知ることができる。このため、ＳＴＡ１５のハンドオーバー先を効率よく選択することができる。ここで、ＡＰ１２とＳＴＡ１５とが接続済である状態で、図８（後述する）のシーケンスを実行する。
【００３０】
＜システム構成＞
次に、図１に示す無線通信システム１０のシステム構成を説明する。
【００３１】
ＡＰＣ１１は、ＡＰ１２、ＡＰ１３およびＡＰ１４とネットワーク（有線又は無線）を介して接続している。そして、ＡＰＣ１１は、ＡＰ１２、ＡＰ１３およびＡＰ１４の制御および管理を行う。ＡＰ１２、ＡＰ１３、ＡＰ１４、および、ＳＴＡ１５は、ミリ波通信規格であるＩＥＥＥ  ８０２．１１ａｄに準じて動作する無線通信装置である。
【００３２】
ＡＰ１２、ＡＰ１３、ＡＰ１４、および、ＳＴＡ１５は、それぞれ、複数の送信及び受信のビームパターンを有し、通信に使用するビームパターンをビーム選択プロトコルにより決定する。そして、ＡＰ１２、ＡＰ１３、ＡＰ１４、および、ＳＴＡ１５は、それぞれ、決定したビームパターンを使用して通信を行う。なお、以後、ビームパターンは、送信ビームパターン及び受信ビームパターンを意味する。
【００３３】
なお、ＳＴＡ１５は、あらかじめスキャン処理を実行しており、最も受信品質の良いＡＰ１２と接続処理を実行済である。なお、接続処理には、認証処理も含んでいる。本開示記載のビーム選択プロトコルは、ＡＰ１２がＳＴＡ１５との接続認証処理後に実施される。
【００３４】
ＡＰＣ１１が管理するＡＰの中で、ＳＴＡ１５とビーム選択プロトコルを実施するＡＰのうち、ＳＴＡ１５と接続しているＡＰをマスタＡＰと定義し、ＳＴＡ１５と接続していないＡＰをスレーブＡＰと定義する。なお、スレーブＡＰは、ＳＴＡ１５とは異なるＳＴＡと接続していても良い。
【００３５】
以下の説明では、ＳＴＡ１５と接続しているマスタＡＰがＡＰ１２であり、スレーブＡＰがＡＰ１３、ＡＰ１４である。
【００３６】
＜ＡＰＣの構成＞
図２は、本実施の形態に係るＡＰＣ１１の構成の一例を示す図である。ＡＰＣ１１は、ＩＦ部２０と、ＡＰ制御部２１と、トレーニングパケット数量決定部２２と、を備える。
【００３７】
ＩＦ部２０は、ＡＰ１２、ＡＰ１３およびＡＰ１４とＡＰＣ１１との間の無線接続または有線接続を行うインタフェースである。ＩＦ部２０は、ＡＰＣ１１とＡＰ（ＡＰ１２〜ＡＰ１４）との間で交換する信号のフォーマット変換、および／または、接続プロトコル処理を行う。
【００３８】
ＡＰ制御部２１は、ＡＰ１２、ＡＰ１３およびＡＰ１４に対するビーム選択プロトコルの制御を行う。また、ＡＰ制御部２１は、例えば、ＡＰ１２、ＡＰ１３およびＡＰ１４の電源管理、帯域管理の制御を行う。なお、ビーム選択プロトコルの詳細については、後述する。
【００３９】
トレーニングパケット数量決定部２２は、ＡＰ１２、ＡＰ１３およびＡＰ１４から、各ＡＰが有する指向性のあるビームパターン数量を取得し、ビーム選択プロトコルにおいてＳＴＡ１５に送信させるトレーニングパケット数量を決定する。トレーニングパケット数量決定部２２は、決定したトレーニングパケット数量を、ＩＦ部２０を介して、マスタＡＰであるＡＰ１２へ通知する。なお、トレーニングパケット数量の決定方法の詳細については、後述する。
【００４０】
＜ＡＰの構成＞
図３は、本実施の形態に係るＡＰ１２の構成の一例を示す図である。ＡＰ１２は、ＩＦ部３０と、送受信部３１と、ビーム選択プロトコル制御部３２と、受信品質測定部３３と、を備える。ＡＰ１２〜ＡＰ１４は、互いに同様の構成を有しているため、以下では、ＡＰ１２の構成を説明し、ＡＰ１３、ＡＰ１４の構成の説明は省略する。
【００４１】
ＩＦ部３０は、ＡＰ１２とＡＰＣ１１との間の無線接続または有線接続を行うインタフェースである。ＩＦ部２０は、ＡＰＣ１１とＡＰ１２との間で交換する信号のフォーマット変換、および／または、接続プロトコル処理を行う。
【００４２】
送受信部３１は、ビームパターンを変更する送信用のアレイアンテナ及び受信用のアレイアンテナを有する。送受信部３１は、信号の送信処理、および、信号の受信処理を行う。信号の送信処理とは、変調処理、周波数変換処理、および、電力増幅処理等を含む。信号の受信処理とは、復調処理、周波数変換処理、および、電力増幅処理等を含む。なお、本実施の形態では、半二重通信を前提としているため、送受信部３１では、送信処理と受信処理との少なくともいずれか一方が実施される。なお、信号は、ビデオ、写真、オーディオ、テキスト及び制御信号の少なくとも１つを含む。
【００４３】
ビーム選択プロトコル制御部３２は、ＡＰＣ１１の指示（例えば、ビーム選択プロトコルの開始を示す通知）を受けて、ビーム選択プロトコルの制御を行う。また、ビーム選択プロトコル制御部３２は、例えば、無線端末（例えば、ＳＴＡ１５）との接続管理、データ通信における帯域制御、として、ＩＥＥＥ８０２．１１ａｄで規定される無線プロトコル制御を行う。
【００４４】
受信品質測定部３３は、送受信部３１によって受信したトレーニングパケットの受信品質を測定する。受信品質とは、例えば、ＲＳＳＩ（Received Signal Strength Indicator）、ＳＮＲ（Signal to Noise Ratio）、ＳＩＮＲ（Signal to Interference and Noise Ratio）のいずれか少なくとも１つである。受信品質測定部３３は、受信品質の測定結果を、ＩＦ部３０を介して、ＡＰＣ１１へ通知する。また、受信品質測定部３３は、受信品質の測定結果を、ビーム選択プロトコル制御部３２へ出力する。ビーム選択プロトコル制御部３２は、受信品質の測定結果に基づき、通信に使用するビームパターンを決定する。
【００４５】
＜ＳＴＡ１５の構成＞
図４は、本実施の形態に係るＳＴＡ１５の構成の一例を示す図である。ＳＴＡ１５は、送受信部４１と、ビーム選択プロトコル制御部４２と、受信品質測定部４３と、トレーニングパケット数量判断部４４と、を備える。
【００４６】
送受信部４１は、ビームパターンを変更する送信用のアレイアンテナ及び受信用のアレイアンテナを有する。送受信部４１は、信号の送信処理、および、信号の受信処理を行う。信号の送信処理とは、例えば、変調処理、周波数変換処理、および、電力増幅処理を含む。信号の受信処理とは、例えば、復調処理、周波数変換処理、および、電力増幅処理を含む。なお、本実施の形態では、半二重通信を前提としているため、送受信部４１では、送信処理と受信処理との少なくともいずれか一方が実施される。
【００４７】
ビーム選択プロトコル制御部４２は、ビーム選択プロトコルの制御を行う。ＡＰとの接続管理、データ通信を行う際の帯域制御などのＩＥＥＥ８０２．１１ａｄで規定される無線プロトコル制御を行う。
【００４８】
受信品質測定部４３は、送受信部４１によって受信されたトレーニングパケットの受信品質を測定する。受信品質とは、例えば、ＲＳＳＩ、ＳＮＲ、ＳＩＮＲのいずれか少なくとも１つである。受信品質測定部４３は、受信品質の測定結果を、ビーム選択プロトコル制御部４２へ出力する。ビーム選択プロトコル制御部４２は、受信品質の測定結果に基づき、通信に使用するビームパターンを決定する。
【００４９】
トレーニングパケット数量判断部４４は、接続しているＡＰから送信され、送受信部４１によって受信されるＧｒａｎｔパケットに含まれるトレーニングパケット数量を取得し、ビーム選択プロトコルでの送信されるトレーニングパケット数量として保持する。
【００５０】
Ｇｒａｎｔパケットは、ビーム選択プロトコルの開始を通知するための制御パケットである。Ｇｒａｎｔパケットは、ビーム選択プロトコルの種別（例えば、ＴＸＳＳまたはＲＸＳＳ）やビーム選択プロトコルで使用するトレーニングパケット数量を含む。なお、本実施の形態では、ビーム選択プロトコル種別は、ＲＸＳＳに相当する。
【００５１】
ビーム選択プロトコル制御部４２は、ビーム選択プロトコルにおいて、送受信部４１が、トレーニングパケット数量判断部４４に保持されたトレーニングパケット数量のトレーニングパケットを送信するための制御信号を出力する。
【００５２】
＜ビームパターンの一例＞
上述の通り、ＡＰ１２、ＡＰ１３、ＡＰ１４、および、ＳＴＡ１５は、それぞれ、複数のビームパターンを有する。以下では、複数のビームパターンの一例について説明する。図５は、本実施の形態におけるビームパターンの一例を示す図である。
【００５３】
図５では、ＡＰ１２、ＡＰ１３、ＡＰ１４およびＳＴＡ１５が、それぞれ、４種類のビームパターン（ビーム＃０〜ビーム＃３）を有する例である。ビーム＃０は、各方向に略同程度の電力となるビーム、所謂、無指向性のビームパターンである。ビーム＃１、ビーム＃２、ビーム＃３は、それぞれ、異なる方向に指向性のあるビームパターンである。つまり、図５では、指向性のあるビームパターン数量は３である。
【００５４】
ＡＰ１２、ＡＰ１３、ＡＰ１４およびＳＴＡ１５は、それぞれ、ビーム選択プロトコルにおいて４種類のビームを切替えて送受信を行い、データ通信において使用するビームを決定する。
【００５５】
なお、以下の説明において、各ビームの番号（図５の例では、＃０〜＃３）を、ビームＩＤと呼ぶ。また、＃０は、無指向性のビームパターンのビームＩＤである。
【００５６】
＜トレーニングパケット数量の決定方法の一例＞
以下では、ＡＰＣ１１のトレーニングパケット数量決定部２２において実施されるトレーニングパケット数量の決定方法の一例について説明する。図６は、本実施の形態におけるトレーニングパケット数量の決定方法の一例を示す図である。
【００５７】
トレーニングパケット数量決定部２２は、ＡＰ１２、ＡＰ１３、および、ＡＰ１４から、各ＡＰが有する指向性のあるビームパターン数量を取得する。また、トレーニングパケット数量決定部２２は、スレーブＡＰのビームパターン数量Ｎｕｍ＿Ｓのうち、最大の数量Ｎｕｍ＿Ｓｍａｘを選択する。
【００５８】
そして、トレーニングパケット数量決定部２２は、マスタＡＰのビームパターン数量Ｎｕｍ＿Ｍと、Ｎｕｍ＿Ｓｍａｘ＋１のうち、いずれか大きい方の数量を、ビーム選択プロトコルにおいてＳＴＡ１５が送信するトレーニングパケット数量として決定する。
【００５９】
本実施の形態では、スレーブＡＰであるＡＰ１３及びＡＰ１４は、ＳＴＡ１５がマスタＡＰであるＡＰ１２とのビーム選択プロトコルを実施中に送信するトレーニングパケットを、指向性のあるビームパターンを切り替えることによって受信する処理を実行する。この処理を実行するためには、スレーブＡＰ（ＡＰ１３、ＡＰ１４）は、ＡＰ１２がＳＴＡ１５へ送信する最後のトレーニングパケット（例えば、ＳＳＷ（Sector Sweep）パケット）（後述する図８におけるＳＳＷ１３）の送信完了を正確に検出することが求められる。
【００６０】
ＡＰ１２がＳＴＡ１５へ送信する最後のトレーニングパケット（ＳＳＷ１３）の送信完了から、ＡＰ１２がＳＴＡ１５から送信される１つ目のトレーニングパケット（後述する図８におけるＳＳＷ２１）の受信開始までは、ＭＢＩＦＳ（９マイクロ秒）と規定されている。そのため、ネットワークを介してＡＰ１２、ＡＰ１３、ＡＰ１４が接続されている環境では、スレーブＡＰ（ＡＰ１３、ＡＰ１４）とマスタＡＰ（ＡＰ１２）とを、マイクロ秒単位で同期させるのは難しい（図１０Ａ、図１０Ｂ参照）。
【００６１】
そのため、ＡＰ１３、ＡＰ１４は、まず、ＳＴＡ１５が送信する１つ目のトレーニングパケットを無指向性のビームパターンを用いて待受け、トレーニングパケットを受信した後に、指向性のあるビームパターンに切り換える。これにより、スレーブＡＰ（ＡＰ１３、ＡＰ１４）は、マスタＡＰ（ＡＰ１２）との間での高精度な同期の確立を省略して、ＳＴＡ１５が送信するトレーニングパケットを、指向性のビームパターンを用いて受信し、受信品質の測定が可能となる。
【００６２】
つまり、ＡＰ１３及びＡＰ１４は、無指向性のビームパターンを用いて、ＳＴＡ１５が送信する１つ目のトレーニングパケットを受信し、指向性のビームパターンを用いて、ＳＴＡ１５が送信する２つ目以降のトレーニングパケットを受信する処理を実行する。スレーブＡＰにおいてこのような処理を実行するために、ＳＴＡ１５は、スレーブＡＰのビームパターン数量Ｎｕｍ＿Ｓよりも少なくとも１つ多い数量のトレーニングパケットを送信する。そのため、トレーニングパケット数量決定部２２は、スレーブＡＰのビームパターン数量Ｎｕｍ＿Ｓのうち、最大の数量Ｎｕｍ＿Ｓｍａｘに対して１を加算した値（Ｎｕｍ＿Ｓｍａｘ＋１）以上となるトレーニングパケット数量を決定する。
【００６３】
具体的には、図６では、トレーニングパケット数量決定部２２は、Ｎｕｍ＿Ｍ≧Ｎｕｍ＿Ｓｍａｘ＋１では、Ｎｕｍ＿Ｍをトレーニングパケット数量として決定する。また、トレーニングパケット数量決定部２２は、Ｎｕｍ＿Ｍ＜Ｎｕｍ＿Ｓｍａｘ＋１では、Ｎｕｍ＿Ｓｍａｘ＋１をトレーニングパケット数量として決定する。
【００６４】
＜トレーニングパケット数量の決定方法の具体例とその動作＞
以下では、３台のアクセスポイント（ＡＰ１２、ＡＰ１３及びＡＰ１４）がＳＴＡ１５とのビーム選択プロトコルの実施においてトレーニングパケット数量を決定する方法の具体例と、その具体例に基づくビーム選択プロトコルの動作シーケンスについて説明する。図７は、本実施の形態におけるトレーニングパケット数量の決定方法の具体例を示す図である。
【００６５】
図７のケース１では、ＡＰ１２の指向性のあるビームパターン数量（Ｎｕｍ＿Ｍ）が３である。そして、スレーブＡＰであるＡＰ１３の指向性のあるビームパターン数量が２、スレーブＡＰであるＡＰ１４の指向性のあるビームパターン数量が２である。ケース１では、Ｎｕｍ＿Ｍ＝３であり、ＡＰ１３とＡＰ１４のビームパターン数量は同じ数量であるため、Ｎｕｍ＿Ｓｍａｘ＋１＝３である。したがって、Ｎｕｍ＿Ｍ＝Ｎｕｍ＿Ｓｍａｘ＋１となるため、図６のケース１に従って、図７のケース１では、トレーニングパケット数量が、Ｎｕｍ＿Ｍ＝３となる。
【００６６】
図７のケース２では、ＡＰ１２の指向性のあるビームパターン数量（Ｎｕｍ＿Ｍ）が３である。そして、スレーブＡＰであるＡＰ１３の指向性のあるビームパターン数量が３、スレーブＡＰであるＡＰ１４の指向性のあるビームパターン数量が２である。ケース２では、Ｎｕｍ＿Ｍ＝３であり、ＡＰ１３のビームパターン数量が、ＡＰ１４のビームパターン数量よりも大きいため、Ｎｕｍ＿Ｓｍａｘは、ＡＰ１３の指向性のあるビームパターン数量３である。つまり、Ｎｕｍ＿Ｓｍａｘ＋１＝４である。したがって、Ｎｕｍ＿Ｍ＜Ｎｕｍ＿Ｓｍａｘ＋１となるため、図６のケース２に従って、トレーニングパケット数量がＮｕｍ＿Ｓｍａｘ＋１＝４となる。
【００６７】
＜マスタＡＰのビームパターン数量よりいずれのスレーブＡＰのビームパターン数量が少ない場合のトレーニングパケット数量の説明＞
次に、図７のケース１におけるビーム選択プロトコル中のマスタＡＰのビームパターン数量よりいずれのスレーブＡＰのビームパターン数量が少ない場合のトレーニングパケット数量について説明する。
【００６８】
図８は、図７のケース１におけるビーム選択プロトコルの動作の一例を示す図である。図８において、横軸は時間を示し、各矩形のブロックは、送信または受信するパケットを示す。実線で示した矩形のブロックは、送信したパケットを示し、破線で示した矩形のブロックは、受信したパケットを示している。また、矩形のブロックの内部の番号は、該当するパケットを送信又は受信する際に使用するビームパターンのビームＩＤを示している。なお、図８の説明の説明に先立って、ＡＰ１２がＧｒａｎｔパケットをＳＴＡ１５に送信する動作よりも先に行われる動作についてまず説明する。
【００６９】
ＡＰ１４は、ＡＰ１４が有する指向性のあるビームパターン数量をＡＰＣ１１へ通知し、ＡＰＣ１１は、ＡＰ１４の指向性のあるビームパターン数量を取得する。同様に、ＡＰＣ１１は、ＡＰ１３の指向性のあるビームパターン数量を取得し、ＡＰＣ１１は、ＡＰ１２の指向性のあるビームパターン数量を取得する。ＡＰＣ１１のビームパターン数量決定部２２は、ＳＴＡ１５がビーム選択プロトコルにおいて送信するトレーニングパケット数量を決定する。
【００７０】
ＡＰＣ１１は、ビーム選択プロトコルの実施をＡＰ１３およびＡＰ１４へ通知する。ＡＰＣ１１は、マスタＡＰであるＡＰ１２の識別子（例えば、ＭＡＣアドレス、ＢＳＳＩＤ）をＡＰ１３およびＡＰ１４へ通知する。なお、ＡＰＣ１１は、決定したトレーニングパケット数量をＡＰ１３およびＡＰ１４へ通知しても良い。
【００７１】
ＡＰ１４は、無指向性のビームパターンであるビーム＃０へ切替え、ＳＴＡ１５から送信されるトレーニングパケットの受信を待つ。同様に、ＡＰ１３は、無指向性のビームパターンであるビーム＃０へ切替え、ＳＴＡ１５から送信されるトレーニングパケットの受信を待つ。次に、ＡＰＣ１１は、決定したトレーニングパケット数量を含むビーム選択プロトコルの開始を示す情報をＡＰ１２へ通知する。
【００７２】
そして、ＡＰ１２は、ビーム＃０を使用してＧｒａｎｔパケットをＳＴＡ１５に送信する。ＡＰ１２から送信されるＧｒａｎｔパケットには、ＡＰＣ１１のトレーニングパケット数量決定部２２において決定したトレーニングパケット数量（図７のケース１では、トレーニングパケット数量が３）が含まれる。
【００７３】
なお、Ｇｒａｎｔパケットを送信するのは、マスタＡＰであるＡＰ１２であり、スレーブＡＰであるＡＰ１３及びＡＰ１４は、Ｇｒａｎｔパケットを送信しない。また、後述するＳＳＷ−ＦｅｅｄｂａｃｋパケットもＡＰ１２が送信し、ＡＰ１３及びＡＰ１４は送信しない。また、ＡＰ１３及びＡＰ１４は、ＳＴＡ１５が送信するＳＳＷ−ＡＣＫパケットも受信しない。つまり、ビーム選択プロトコル中の制御パケットの送信処理及び受信処理はマスタＡＰであるＡＰ１２の役割であり、スレーブＡＰであるＡＰ１３及びＡＰ１４はトレーニングパケットであるＳＳＷパケットを受信し、受信品質を測定する。
【００７４】
ＡＰ１２、ＡＰ１３及びＡＰ１４は、受信品質を測定し、例えば、測定したビームパターン毎の受信品質をＡＰＣに通知する。ＡＰＣ１１は、ＡＰ１２、ＡＰ１３及びＡＰ１４から取得したビームパターン毎の受信品質を用いて、ＳＴＡ１５の位置を推定する。
【００７５】
ＡＰ１３及びＡＰ１４は、受信品質を測定することで、例えば、ＳＴＡ１５と接続認証処理をする前に、受信品質のよいビームパターンを知ることができる。このため、ＳＴＡ１５のハンドオーバー先を効率よく選択することができる。
【００７６】
ＳＴＡ１５は、ビーム＃０を使用してトレーニングパケット数量３を含むＧｒａｎｔパケットを受信し、ビーム選択プロトコルが実施されることを把握する。
【００７７】
次に、ＡＰ１２は、ビーム＃０を使用してトレーニングパケットであるＳＳＷ（Sector Sweep）パケット（ＳＳＷ１１〜ＳＳＷ１３）をＳＴＡ１５に送信する。ＳＴＡ１５は、ビーム＃１〜ビーム＃３を使用して、ＳＳＷ１１〜ＳＳＷ１３をそれぞれ受信する。
【００７８】
次に、ＳＴＡ１５は、ビーム＃０を使用してＧｒａｎｔパケットに含まれるトレーニングパケット数量のＳＳＷパケット（ＳＳＷ２１〜ＳＳＷ２３）を送信する。ＡＰ１２は、指向性のあるビームパターンを３つ持つため、ＳＴＡ１５がＳＳＷパケットを３つ送信することによって、ＡＰ１２は、３つのビームパターン毎の受信品質を測定できる。
【００７９】
上述したように、ＡＰ１２がＧｒａｎｔパケットをＳＴＡ１５に送信する前に、ＡＰ１３及びＡＰ１４は、ＡＰＣ１１からビーム選択プロトコルの開始の通知を受けている。また、ＳＴＡ１５が、ビーム＃０を使用してＧｒａｎｔパケットに含まれるトレーニングパケット数量のＳＳＷパケット（ＳＳＷ２１〜ＳＳＷ２３）を送信する場合、ＡＰ１３、ＡＰ１４は、無指向性のビームパターン（ビーム＃０）で待受ける。このため、ＡＰ１３、ＡＰ１４は、ＳＴＡ１５からのトレーニングパケットを受信することができ、ＳＴＡ１５からの１つ目のトレーニングパケット（ＳＳＷ２１）を受信した後に、無指向性のビームパターン（ビーム＃０）から指向性のあるビームパターンへの切り替えを開始することができる。
【００８０】
ＡＰ１３は、ビーム＃０を使用してＳＳＷ２１を受信した後、指向性のあるビームパターンへ切替えて、ＳＳＷ２１の後に続くＳＳＷパケットを受信する。つまり、ＡＰ１３は、ビーム＃１を使用してＳＳＷ２２を受信し、ビーム＃２を使用してＳＳＷ２３をビーム＃２で受信する。そして、ＡＰ１３は、ビームパターン毎の受信品質を測定する。ＡＰ１３，ＡＰ１４が、ビーム＃０で待受けることで、ＳＴＡ１５からのトレーニングパケットを受信することができる。
【００８１】
同様に、ＡＰ１４は、ビーム＃０を使用してＳＳＷ２１を受信した後に、指向性のあるビームパターンへ切替えて、ＳＳＷ２１の後に続くＳＳＷパケットを受信する。つまり、ＡＰ１４は、ビーム＃１を使用してＳＳＷ２２を受信し、ビーム＃２を使用してＳＳＷ２３を受信する。そして、ＡＰ１４は、ビームパターン毎の受信品質を測定する。
【００８２】
ＳＴＡ１５が、ＳＳＷパケット（例えば、ＳＳＷ２１〜ＳＳＷ２３）の宛先アドレスをマスタＡＰであるＡＰ１２に設定したＳＳＷパケットを送信した場合、一般的なスレーブＡＰは、受信したＳＳＷパケットに記載された宛先アドレスが他のＡＰであるため破棄する。これに対して、本実施の形態におけるスレーブＡＰ（ＡＰ１３、ＡＰ１４）は、Ｓ１２−１、Ｓ１２−２にて（図１０Ａ参照）、マスタＡＰとして、ＡＰ１２の識別子（例えばＭＡＣアドレス）の通知を受けているため、ＡＰ１２とＳＴＡ１５との間で実施されるビーム選択プロトコル期間中に、ＳＳＷパケットを破棄せずに受信し、その受信品質を測定することができる。
【００８３】
ＡＰ１２は、ＳＳＷ２３を受信後、ビーム＃０を使用してＳＳＷ−Ｆｅｅｄｂａｃｋパケットを送信する。ＳＴＡ１５は、ＳＳＷ−ＦｅｅｄｂａｃｋパケットをＳＳＷ１１〜ＳＳＷ１３の中で最も受信品質の良いビームパターン（図８ではビーム＃２）を使用して受信する。
【００８４】
ＳＴＡ１５は、ＳＳＷ−Ｆｅｅｄｂａｃｋパケットを受信後、ビーム＃０を使用してＳＳＷ−ＡＣＫパケットを送信する。ＡＰ１２は、ＳＳＷ−ＡＣＫパケットをＳＳＷ２１〜ＳＳＷ２３の中で最も受信品質の良いビームパターン（図８ではビーム＃２）を使用して受信する。
【００８５】
ＡＰ１３及びＡＰ１４は、スレーブＡＰであるため、ビーム選択プロトコル中の制御パケットの交換はしない。ＡＰ１３、ＡＰ１４は、ＳＳＷ２３を受信し、受信品質を測定した後、ＳＳＷ２２及びＳＳＷ２３の受信品質を測定した結果をＡＰＣ１１に通知し、ビーム選択プロトコル処理を終了する。
【００８６】
図８では、Ｎｕｍ＿Ｍ≧Ｎｕｍ＿Ｓｍａｘ＋１であるため、ＳＴＡ１５に送信させるＳＳＷパケット数量をＮｕｍ＿Ｍとすることで、マスタＡＰ及びスレーブＡＰの全てのＡＰが、全ビームパターン毎の受信品質を測定できる。
【００８７】
＜マスタＡＰのビームパターン数量が少なくとも１つのスレーブＡＰのビームパターン数量と等しい（≧）場合のトレーニングパケット数量の説明＞
図９は、図７のケース２におけるビーム選択プロトコル中のマスタＡＰのビームパターン数量が少なくとも１つのスレーブＡＰのビームパターン数量が等しい（≧）場合のトレーニングパケット数量について説明する。図９において、横軸は時間を示し、各矩形のブロックは、送信または受信するパケットを示している。実線で示した矩形のブロックは、送信したパケットを示し、破線で示した矩形のブロックは、受信したパケットを示している。また、矩形のブロックの内部の番号は、該当するパケットを送信又は受信する際に使用するビームパターンのビームＩＤを示している。
【００８８】
ＡＰ１２は、ビーム＃０を使用してＧｒａｎｔパケットをＳＴＡ１５に送信する。ＡＰ１２から送信されるＧｒａｎｔパケットには、ＡＰＣ１１のトレーニングパケット数量決定部２２において決定したトレーニングパケット数量（図７のケース２では、ＡＰ１３のビームパターン数量が３であるため、トレーニングパケット数量が４）が含まれる。
【００８９】
ＳＴＡ１５は、ビーム＃０を使用してトレーニングパケット数量４を含むＧｒａｎｔパケットを受信し、ビーム選択プロトコルが実施されることを把握する。
【００９０】
ＡＰ１２は、ビーム＃０を使用してＳＳＷ１１〜ＳＳＷ１３をＳＴＡ１５に送信する。ＳＴＡ１５は、ビーム＃１〜＃３を使用して、ＳＳＷ１１〜ＳＳＷ１３をそれぞれ受信する。
【００９１】
ＳＴＡ１５は、ビーム＃０を使用してＧｒａｎｔパケットに含まれるトレーニングパケット数量のＳＳＷパケット（ＳＳＷ２１〜ＳＳＷ２４）を送信する。ＡＰ１２は、指向性のあるビームパターンの数量が３であるため、ＳＴＡ１５がＳＳＷパケットを少なくとも３つ送信することによって、３つのビームパターン毎の受信品質を測定できる。
【００９２】
ケース２では、ＡＰ１２は、４つのＳＳＷパケットを受信するため、ビーム＃０を使用してＳＳＷ２４を受信する。なお、ＡＰ１２は、ビーム＃０とは異なる他のビームを使用してＳＳＷ２４を受信してもよい。例えば、ビーム＃１〜＃３のうち、最も受信品質が低かったビームパターン、または、最も受信品質が良かったビームパターンを使用して受信してもよい。
【００９３】
ＡＰ１３は、ビーム＃０を使用してＳＳＷ２１を受信した後に、指向性のあるビームパターンへ切替えて、ＳＳＷ２１の後に続くＳＳＷパケットを受信する。つまり、ＡＰ１３は、ビーム＃１を使用してＳＳＷ２２を受信し、ビーム＃２を使用してＳＳＷ２３を受信し、ビーム＃３を使用してＳＳＷ２４を受信する。そして、ＡＰ１３は、全てのビームパターンに対して受信品質を測定する。
【００９４】
同様に、ＡＰ１４は、ビーム＃０を使用してＳＳＷ２１を受信した後に、指向性のあるビームパターンへ切替えて、ＳＳＷ２１の後に続くＳＳＷパケットを受信する。つまり、ＡＰ１４は、ビーム＃１を使用してＳＳＷ２２を受信し、ビーム＃２を使用してＳＳＷ２３を受信し、ビーム＃０を使用してＳＳＷ２４を受信する。そして、ＡＰ１４は、全てのビームパターンに対して受信品質を測定する。
【００９５】
つまり、ＡＰ１４が有する指向性のある全てのビームの受信品質を測定できる。なお、ＡＰ１４は、ビーム＃０とは異なる他のビームを使用してＳＳＷ２４を受信してもよい。例えば、ＡＰ１４は、ビーム＃１〜＃３のうち、最も受信品質が低かったビームパターン、または、最も受信品質が良かったビームパターンを使用して受信してもよい。
【００９６】
ＳＴＡ１５が、ＳＳＷパケット（例えば、ＳＳＷ２１〜ＳＳＷ２４）の宛先アドレスをマスタＡＰであるＡＰ１２に設定したＳＳＷパケットを送信した際、一般的なスレーブＡＰは、受信したＳＳＷパケットに記載された宛先アドレスが他のＡＰであるため破棄する。これに対して、本実施の形態におけるスレーブＡＰ（ＡＰ１３、ＡＰ１４）は、Ｓ１２−１、Ｓ１２−２にて（図１０Ａ参照）、マスタＡＰとして、ＡＰ１２の識別子（例えばＭＡＣアドレス）の通知を受けているため、ＡＰ１２とＳＴＡ１５との間で実施されるビーム選択プロトコル期間中に、ＳＳＷパケットを破棄せずに受信し、その受信品質を測定することができる。
【００９７】
ＡＰ１２は、ＳＳＷ２４を受信後、ビーム＃０を使用してＳＳＷ−Ｆｅｅｄｂａｃｋパケットを送信する。ＳＴＡ１５は、ＳＳＷ−ＦｅｅｄｂａｃｋパケットをＳＳＷ１１〜ＳＳＷ１３の中で最も受信品質の良いビームパターン（図９ではビーム＃３）を使用して受信する。
【００９８】
ＳＴＡ１５は、ＳＳＷ−Ｆｅｅｄｂａｃｋパケットを受信後、ビーム＃０を使用してＳＳＷ−ＡＣＫパケットを送信する。ＡＰ１２は、ＳＳＷ−ＡＣＫパケットをＳＳＷ２１〜ＳＳＷ２４の中で最も受信品質の良いビームパターン（図９ではビーム＃３）を使用して受信する。
【００９９】
図９に示したように、Ｎｕｍ＿Ｍ＜Ｎｕｍ＿Ｓｍａｘ＋１の場合、ＳＴＡに送信させるＳＳＷパケット数量をＮｕｍ＿Ｓｍａｘ＋１とすることで、マスタＡＰ及びスレーブＡＰの全てのＡＰは、全ビーム毎の受信品質を測定できる。
【０１００】
＜本実施の形態における図１記載のシステム動作の説明＞
次に、ＡＰＣ１１が管理するＡＰ１２〜ＡＰ１４と、ＡＰ１２と接続しているＳＴＡ１５との間で実施される本実施の形態におけるビーム選択プロトコルのシーケンスについて説明する。
【０１０１】
図１０Ａ、図１０Ｂは、本実施の形態におけるビーム選択プロトコルのシーケンスの一例を示す図である。図１０Ａ、図１０Ｂには、ＡＰＣ１１と、ＳＴＡ１５と、ＳＴＡ１５と接続しているＡＰ１２と、ＳＴＡ１５と接続していないＡＰ１３およびＡＰ１４と、において実施される処理および各装置間で送受信される信号の流れが示されている。
【０１０２】
なお、図１０Ａ、図１０Ｂでは、ＡＰ１２〜ＡＰ１４とＳＴＡ１５は、それぞれ、図５に示したビームパターンを有する例を説明する。
【０１０３】
ステップ１０−１（Ｓ１０−１）において、ＡＰ１４は、ＡＰ１４が有する指向性のあるビームパターン数量をＡＰＣ１１へ通知し、ＡＰＣ１１は、ＡＰ１４の指向性のあるビームパターン数量を取得する。同様に、Ｓ１０−２において、ＡＰＣ１１は、ＡＰ１３の指向性のあるビームパターン数量を取得し、Ｓ１０−３において、ＡＰＣ１１は、ＡＰ１２の指向性のあるビームパターン数量を取得する。
【０１０４】
Ｓ１１において、ＡＰＣ１１のビームパターン数量決定部２２は、ＳＴＡ１５がビーム選択プロトコルにおいて送信するトレーニングパケット数量を決定する。
【０１０５】
図１０Ａ、図１０Ｂでは、ＡＰ１２とＡＰ１３とＡＰ１４が有する指向性のあるビームパターン数量は３であり、Ｎｕｍ＿Ｍ＝３、Ｎｕｍ＿Ｓｍａｘ＋１＝４となるため、ＳＴＡ１５に送信させるトレーニングパケット数量は４となる。ＡＰＣ１１は、トレーニングパケット数量を決定後、処理はＳ１２−１、Ｓ１２−２へ移行する。
【０１０６】
Ｓ１２−１、Ｓ１２−２において、ＡＰＣ１１は、ビーム選択プロトコルの実施をＡＰ１３およびＡＰ１４へ通知する。ＡＰＣ１１は、マスタＡＰであるＡＰ１２の識別子（例えば、ＭＡＣアドレス、ＢＳＳＩＤ）をＡＰ１３およびＡＰ１４へ通知する。なお、ＡＰＣ１１は、Ｓ１２−１、Ｓ１２−２において、Ｓ１１にて決定したトレーニングパケット数量をＡＰ１３およびＡＰ１４へ通知しても良い。
【０１０７】
Ｓ１３−１において、ＡＰ１４は、無指向性のビームパターンであるビーム＃０へ切替え、ＳＴＡ１５から送信されるトレーニングパケットの受信を待つ。同様に、Ｓ１３−２において、ＡＰ１３は、無指向性のビームパターンであるビーム＃０へ切替え、ＳＴＡ１５から送信されるトレーニングパケットの受信を待つ。
【０１０８】
Ｓ１４において、ＡＰＣ１１は、Ｓ１１にて決定したトレーニングパケット数量を含むビーム選択プロトコルの開始を示す情報をＡＰ１２へ通知する。
【０１０９】
Ｓ１５において、ＡＰ１２は、Ｓ１４にて通知されたトレーニングパケット数量を含むＧｒａｎｔパケットをＳＴＡ１５へ送信する。なお、上述したように、ＡＰ１２は、事前に、ＳＴＡ１５から、ＳＴＡ１５が有する指向性のあるビームパターン数量を取得している。なお、ＡＰ１２は、ＲＸＳＳを実施する前に、ＴＸＳＳを実施してＳＴＡ１５の有する指向性のあるビームパターン数量を取得してもよい。
【０１１０】
Ｓ１６において、ＳＴＡ１５は、Ｇｒａｎｔパケットの受信した後に、指向性のあるビームパターンであるビーム＃１へ切替える。
【０１１１】
Ｓ１７において、ＡＰ１２は、Ｇｒａｎｔパケットを送信したタイミングから、ＰＩＦＳ（point inter frame space）経過後に、ビーム＃０を使用してビーム選択プロトコルのトレーニングパケットであるＳＳＷ１１を送信する。
【０１１２】
Ｓ１８において、ＳＴＡ１５は、ビーム＃１を使用してＳＳＷ１１を受信し、受信したＳＳＷ１１の受信品質を測定する。受信品質は、例えば、ＲＳＳＩ、ＳＮＲ、ＳＩＮＲのいずれか少なくとも１つである。そして、ＳＴＡ１５は、受信品質を測定後、ビームパターンをビーム＃２へ切替える。
【０１１３】
Ｓ１９において、ＡＰ１２は、ＳＳＷ１１を送信したタイミングから、ＳＢＩＦＳ（short beamforming inter frame space）経過後に、ビーム＃０を使用してＳＳＷ１２を送信する。
【０１１４】
Ｓ２０において、ＳＴＡ１５は、ビーム＃２を使用してＳＳＷ１２を受信し、受信したＳＳＷ１２の受信品質を測定する。そして、ＳＴＡ１５は、受信品質を測定後、ビームパターンをビーム＃３へ切替える。
【０１１５】
Ｓ２１において、ＡＰ１２は、ＳＳＷ１２を送信したタイミングから、ＳＢＩＦＳ経過後に、ビーム＃０を使用してＳＳＷ１３を送信する。
【０１１６】
Ｓ２２において、ＳＴＡ１５は、ビーム＃３を使用してＳＳＷ１３を受信し、受信したＳＳＷ１３の受信品質を測定する。Ｓ２２までの処理にて、ＳＴＡ１５は、全てのビームパターン（つまり、３つのビームパターン）それぞれを使用して受信したトレーニングパケットの受信品質の測定が終了する。そして、ＳＴＡ１５は、受信品質を測定後、ビームパターンをビーム＃０へ切替える。
【０１１７】
Ｓ２３において、ＡＰ１２は、ＳＴＡ１５が有するビームパターン数量と同じ数量のＳＳＷの送信（つまり、ＳＳＷ１１〜ＳＳＷ１３の３つのＳＳＷの送信）が終了した後、指向性のあるビームパターンであるビーム＃１へ切替え、ＡＰ１２のビームパターンの受信品質の測定を準備する。
【０１１８】
Ｓ２４において、ＳＴＡ１５は、ＳＳＷ１３を受信したタイミングから、ＭＢＩＦＳ（medium beamforming inter frame space）経過後に、ビーム＃０を使用してＳＳＷ２１を送信する。
【０１１９】
Ｓ２５−１において、ＡＰ１２は、ビーム＃１を使用してＳＳＷ２１を受信し、受信したＳＳＷ２１の受信品質を測定する。そして、ＡＰ１２は、受信品質を測定後、ビームパターンをビーム＃２へ切替える。
【０１２０】
Ｓ２５−２において、ＡＰ１３は、ビーム＃０を使用してＳＳＷ２１を受信し、ＳＳＷ２１を受信した後に、指向性のあるビームパターンであるビーム＃１へ切替える。
【０１２１】
同様に、Ｓ２５−３において、ＡＰ１４は、ビーム＃０を使用してＳＳＷ２１を受信し、ＳＳＷ２１を受信した後に、指向性のあるビームパターンであるビーム＃１へ切替える。
【０１２２】
ＳＴＡ１５が、ＳＳＷ２１の宛先アドレスをマスタＡＰであるＡＰ１２に設定したＳＳＷ２１を送信した場合、一般的なスレーブＡＰは、受信したＳＳＷ２１に記載された宛先アドレスが他のＡＰであるため破棄する。これに対して、本実施の形態におけるスレーブＡＰである、ＡＰ１３およびＡＰ１４は、Ｓ１２−１、Ｓ１２−２にて、マスタＡＰとして、ＡＰ１２の識別子の通知を受けているため、ＡＰ１２とＳＴＡ１５との間で実施されるビーム選択プロトコル期間中に、ＳＳＷ２１を破棄せずに受信し、その受信品質を測定することができる。同様に、ＡＰ１３およびＡＰ１４は、後述するＳＳＷ２２〜ＳＳＷ２４を破棄せずに受信し、その受信品質を測定することができる。
【０１２３】
また、ＡＰ１３およびＡＰ１４は、無指向性のビームパターンであるビーム＃０を使用して、ＳＳＷ２１の受信を待ち受けているため、ＳＴＡ１５が送信するＳＳＷ２１を受信することができる。
【０１２４】
Ｓ２６にて、ＳＴＡ１５は、ＳＳＷ２１を送信したタイミングから、ＳＢＩＦＳ経過後に、ビーム＃０を使用してＳＳＷ２２を送信する。
【０１２５】
Ｓ２７−１にて、ＡＰ１２は、ビーム＃２を使用してＳＳＷ２２を受信し、受信したＳＳＷ２２の受信品質を測定する。そして、ＡＰ１２は、受信品質を測定後、ビームパターンをビーム＃３へ切替える。
【０１２６】
Ｓ２７−２にて、ＡＰ１３は、ビーム＃１を使用してＳＳＷ２２を受信し、受信したＳＳＷ２２の受信品質を測定する。そして、ＡＰ１３は、受信品質を測定後、ビームパターンをビーム＃２へ切替える。
【０１２７】
同様に、Ｓ２７−３にて、ＡＰ１４は、ビーム＃１を使用してＳＳＷ２２を受信し、受信したＳＳＷ２２の受信品質を測定する。そして、ＡＰ１４は、受信品質を測定後、ビームパターンをビーム＃２へ切替える。
【０１２８】
Ｓ２８にて、ＳＴＡ１５は、ＳＳＷ２２を送信したタイミングから、ＳＢＩＦＳ経過後に、ビーム＃０を使用してＳＳＷ２３を送信する。
【０１２９】
Ｓ２９−１にて、ＡＰ１２は、ビーム＃３を使用してＳＳＷ２３を受信し、受信したＳＳＷ２３の受信品質を測定する。そして、ＡＰ１２は、受信品質を測定後、ビームパターンを任意のビームへ切替える。
【０１３０】
ＡＰ１２は、任意のビームパターンとして、無指向性のビームパターンであるビーム＃０に切替えても良い。あるいは、ＡＰ１２は、任意のビームパターンとして、ビーム＃１〜ビーム＃３のうち、最も受信品質が低かったビーム、または、最も受信品質が良かったビームに切替えても良い。
【０１３１】
Ｓ２９−２にて、ＡＰ１３は、ビーム＃２を使用してＳＳＷ２３を受信し、受信したＳＳＷ２３の受信品質を測定する。そして、ＡＰ１３は、受信品質を測定後、ビームパターンをビーム＃３へ切替える。
【０１３２】
同様に、Ｓ２９−３にて、ＡＰ１４は、ビーム＃２を使用してＳＳＷ２３を受信し、受信したＳＳＷ２３の受信品質を測定する。そして、ＡＰ１４は、受信品質を測定後、ビームパターンをビーム＃３へ切替える。
【０１３３】
Ｓ３０にて、ＳＴＡ１５は、ＳＳＷ２３を送信したタイミングから、ＳＢＩＦＳ経過後に、ビーム＃０を使用してＳＳＷ２４を送信する。
【０１３４】
Ｓ３１−１にて、ＡＰ１２は、任意のビームパターンを使用してＳＳＷ２４を受信し、受信したＳＳＷ２４の受信品質を測定する。そして、ＡＰ１２は、受信品質を測定後、ビームパターンをビーム＃０へ切替える。
【０１３５】
なお、ＡＰ１２は、Ｓ２５−１、Ｓ２７−１およびＳ２９−１にて、全ての指向性のあるビームパターンそれぞれの受信品質の測定を終えているため、Ｓ３１−１にて、受信品質を測定しなくても良い。
【０１３６】
Ｓ３１−２にて、ＡＰ１３は、ビーム＃３を使用してＳＳＷ２４を受信し、受信したＳＳＷ２４の受信品質を測定する。そして、ＡＰ１３は、受信品質を測定後、ビームパターンをビーム＃０へ切替える。
【０１３７】
同様に、Ｓ３１−３にて、ＡＰ１４は、ビーム＃３を使用してＳＳＷ２４を受信し、受信したＳＳＷ２４の受信品質を測定する。そして、ＡＰ１４は、受信品質を測定後、ビームパターンをビーム＃０へ切替える。
【０１３８】
Ｓ３２にて、ＡＰ１２は、ＳＳＷ２４を受信したタイミングからＭＢＩＦＳ経過後に、ビーム＃０を使用してＳＳＷ−Ｆｅｅｄｂａｃｋを送信する。ＡＰ１２は、ＳＳＷ−Ｆｅｅｄｂａｃｋを送信した後、Ｓ２５−１、Ｓ２７−１、Ｓ２９−１（およびＳ３１−１）にて測定した受信品質の中で最も受信品質の良いビームパターンへ切替える。
【０１３９】
Ｓ３３にて、ＳＴＡ１５は、ＳＳＷ−Ｆｅｅｄｂａｃｋを受信したタイミングからＭＢＩＦＳ経過後に、ビーム＃０を使用してＳＳＷ−ＡＣＫを送信する。
【０１４０】
Ｓ３４−１にて、ＡＰ１２は、ＳＳＷ−ＡＣＫを受信した後、Ｓ２５−１、Ｓ２７−１、Ｓ２９−１（およびＳ３１−１）にて測定したビーム毎の受信品質の測定結果をＡＰＣ１１へ通知する。
【０１４１】
Ｓ３４−２にて、ＡＰ１３は、Ｓ２７−２、Ｓ２９−２、Ｓ３１−２にて測定したビーム毎の受信品質の測定結果をＡＰＣ１１へ通知する。なお、Ｓ３４−２は、Ｓ３１−２の後に実行されても良い。
【０１４２】
Ｓ３４−３にて、ＡＰ１４は、Ｓ２７−３、Ｓ２９−３、Ｓ３１−３にて測定したビーム毎の受信品質の測定結果をＡＰＣ１１へ通知する。なお、Ｓ３４−３は、Ｓ３１−３の後に実行されても良い。
【０１４３】
Ｓ３５−１〜Ｓ３５−３にて、ＡＰＣ１１は、各ＡＰから測定結果を取得した後、ビーム選択プロトコルの終了を各ＡＰに対して通知する。
【０１４４】
なお、図１０Ａ及び図１０Ｂでは、図７のケース２の動作について説明した。図７のケース１の動作は、図１０ＢのＳ３０、Ｓ３１−１、Ｓ３１−２、Ｓ３１−３を省略した動作であるため、同じステップ番号の説明は省略する。
【０１４５】
（実施の形態の変形例）
図７のケース２では、ＡＰ１２、ＡＰ１３及びＡＰ１４のビームパターン数量が異なる場合について説明した。以下では、ＡＰ１２、ＡＰ１３及びＡＰ１４の指向性のあるビームパターン数量が同じケースの動作について、図１１を用いて説明する。
【０１４６】
図１１は、図１０に基づくビーム選択プロトコルの動作の一例を示す図である。図１１において、横軸は時間を示し、各矩形のブロックは、送信または受信するパケットを示している。実線で示した矩形のブロックは、送信したパケットを示し、破線で示した矩形のブロックは、受信したパケットを示している。また、矩形のブロックの内部の番号は、該当するパケットを送信又は受信する際に使用するビームパターンのビームＩＤを示している。
【０１４７】
また、以下の説明におけるＳ１１等は、図１０に示したステップに対応する。
【０１４８】
ＡＰ１２は、ビーム＃０を使用してＳ１１にて決定したトレーニングパケット数量を含むＧｒａｎｔパケットをＳＴＡ１５に送信する（Ｓ１５）。ＳＴＡ１５は、受信したＧｒａｎｔパケットに含まれるトレーニングパケット数量を保持する。
【０１４９】
ＡＰ１２は、無指向性のビームパターンであるビーム＃０を使用してＳＳＷ１１〜ＳＳＷ１３を送信する（Ｓ１７、Ｓ１９、Ｓ２１）。ＳＴＡ１５は、ビーム＃１を使用してＳＳＷ１１を受信し、受信品質を測定する（Ｓ１８）。ＳＴＡ１５は、ビーム＃１を使用してＳＳＷ１２を受信し、受信品質を測定する（Ｓ２０）。ＳＴＡ１５は、ビーム＃３を使用してＳＳＷ１３を受信し、ビーム毎の受信品質を測定する（Ｓ２２）。
【０１５０】
ＳＴＡ１５は、ＳＳＷ１３の受信後、ビーム＃０を使用して、保持したトレーニングパケット数量のＳＳＷパケット（ＳＳＷ２１〜ＳＳＷ２４）を送信する（Ｓ２４、Ｓ２６、Ｓ２８、Ｓ３０）。
【０１５１】
ＡＰ１２は、ビーム＃１を使用してＳＳＷ２１を受信し、受信品質を測定する（Ｓ２５−１）。ＡＰ１２は、ビーム＃２を使用してＳＳＷ２２を受信し、受信品質を測定する（Ｓ２７−１）。ＡＰ１２は、ビーム＃３を使用してＳＳＷ２３を受信し、受信品質を測定する（Ｓ２９−１）。ＡＰ１２は、任意のビーム（例えば、ビーム＃０）を使用してＳＳＷ２４を受信し、受信品質を測定する（Ｓ３１−１）。
【０１５２】
ＡＰ１３は、ビーム＃０を使用してＳＳＷ２１を受信し、ＳＳＷ２１の受信の後、指向性のあるビームパターンへ切替える（Ｓ２５−２）。ＡＰ１３は、ビーム＃１を使用してＳＳＷ２２を受信し、受信品質を測定する（Ｓ２７−２）。ＡＰ１３は、ビーム＃２を使用してＳＳＷ２３を受信し、受信品質を測定する（Ｓ２９−２）。ＡＰ１３は、ビーム＃３を使用してＳＳＷ２４を受信し、受信品質を測定する（Ｓ３１−２）。
【０１５３】
同様に、ＡＰ１４は、ビーム＃０を使用してＳＳＷ２１を受信し、ＳＳＷ２１の受信の後、指向性のあるビームパターンへ切替える（Ｓ２５−３）。ＡＰ１４は、ビーム＃１を使用してＳＳＷ２２を受信し、受信品質を測定する（Ｓ２７−３）。ＡＰ１４は、ビーム＃２を使用してＳＳＷ２４を受信し、受信品質を測定する（Ｓ２９−３）。ＡＰ１４は、ビーム＃３を使用してＳＳＷ２４を受信し、受信品質を測定する（Ｓ３１−３）。
【０１５４】
ＡＰ１２は、ＳＳＷ２４を受信後、ビーム＃０を使用してＳＳＷ−Ｆｅｅｄｂａｃｋパケットを送信する（Ｓ３２）。ＳＴＡ１５は、ＳＳＷ−ＦｅｅｄｂａｃｋパケットをＳＳＷ１１〜ＳＳＷ１３の中で最も受信品質の良いビームパターン（例えば、ビーム＃３）を使用して受信する。
【０１５５】
ＳＴＡ１５は、ＳＳＷ−Ｆｅｅｄｂａｃｋパケットを受信後、ビーム＃０を使用してＳＳＷ−ＡＣＫパケットを送信する（Ｓ３３）。ＡＰ１２は、ＳＳＷ−ＡＣＫパケットをＳＳＷ２１〜ＳＳＷ２４の中で最も受信品質の良いビームパターン（例えば、ビーム＃３）を使用して受信する。
【０１５６】
ＡＰ１２、ＡＰ１３及びＡＰ１４は、それぞれが有する全ビームパターン毎の受信品質測定結果をＡＰＣ１１に通知する（Ｓ３４−１〜Ｓ３４−３）。ＡＰＣ１１は、各ＡＰからの通知を受け、ビーム選択プロトコルの処理の終了を各ＡＰに通知し（Ｓ３５−１〜Ｓ３５−３）、ビーム選択プロトコルが終了する。
【０１５７】
以上説明したように、本実施の形態におけるＡＰＣ１１（基地局制御装置）は、ＳＴＡ１５（無線端末）と接続しているＡＰ１２（第１の基地局装置）が使用する、指向性のある第１のビームパターンの数量Ｎｕｍ＿Ｍと、ＳＴＡ１５と接続していないＡＰ１３、ＡＰ１４（少なくとも１つの第２の基地局装置）が使用する、指向性のある第２のビームパターンの数量Ｎｕｍ＿Ｓとに基づいて、ＳＴＡ１５に送信させるトレーニングパケットの数量を決定する。そして、ＡＰＣ１１は、決定したトレーニングパケットの数量をＡＰ１２へ通知する。
【０１５８】
この構成により、ＡＰＣ１１は、ＳＴＡ１５と接続しているＡＰ（マスタＡＰ）であるＡＰ１２がビーム選択プロトコルを実施するために必要なトレーニングパケットの数量、および、ＳＴＡ１５と接続していないＡＰ（スレーブＡＰ）であるＡＰ１３、ＡＰ１４がビーム選択プロトコルを実施するために必要なトレーニングパケットの数量の両方を満たすトレーニングパケットの数量をＳＴＡ１５に送信させることができる。
【０１５９】
これにより、複数のＡＰがビーム選択プロトコルを実施する場合に、ＳＴＡが複数のＡＰそれぞれと接続を行う必要が無いため、ＳＴＡと接続しているＡＰを含む複数のＡＰが、効率よくビーム選択プロトコルを実施することができる。
【０１６０】
また、この構成により、複数のＡＰがビーム選択プロトコルを実施する場合にＳＴＡが送信するトレーニングパケットの数量を抑えることができるため、ビーム選択プロトコルに係る時間を短縮でき、通信効率の低減を避けることができる。
【０１６１】
なお、本実施の形態では、トレーニングパケット数量決定部２２が、Ｎｕｍ＿ＭとＮｕｍ＿Ｓｍａｘ＋１との大小関係に基づいて、Ｎｕｍ＿ＭまたはＮｕｍ＿Ｓｍａｘ＋１のいずれか１つの数量をトレーニングパケット数量として決定する例について説明したが、本開示はこれに限定されない。トレーニングパケット数量決定部２２は、Ｎｕｍ＿Ｍより多い数量、かつ、Ｎｕｍ＿Ｓｍａｘ＋１より多い数量をトレーニングパケット数量として決定しても良い。
【０１６２】
また、本実施の形態に係るビーム選択プロトコルは、周期的に実施されてもよいし、通信品質（スループットなど）や受信品質（ＳＮＲ、ＲＳＳＩ、ＳＩＮＲなど）などの劣化を契機に実施されてもよい。
【０１６３】
また、本実施の形態によれば、複数のＡＰがＳＴＡと接続し直すことなく、ＲＸＳＳで測定するビームパターン毎の受信品質を測定することが可能となるため、ＡｏＡ（Angle of Arrival）に基づくＳＴＡの位置推定に用いることも可能となる。そのため、本実施の形態に係るビーム選択プロトコルは、ＳＴＡの移動を検出した後に実施されてもよい。
【０１６４】
また、本実施の形態では、ＳＴＡまたはＡＰがトレーニングパケットの送信する際に、無指向性のビームパターンを使用する例に説明したが、指向性のあるビームパターンを使用してトレーニングパケットを送信してもよい。例えば、本実施の形態に係るビーム選択プロトコルの前にＴＸＳＳを実施することによって、マスタＡＰであるＡＰ１２とＳＴＡ１５との間で、送信に用いるビームを最適化してもよい。ＳＴＡ１５が指向性のあるビームパターンを使用してトレーニングパケットを送信しても、スレーブＡＰ（例えば、ＡＰ１３）は無指向性のビームパターンを使用して受信しているため、ＡＰ１３は、トレーニングパケットを受信することが可能である。
【０１６５】
なお、スレーブＡＰの決定方法は、マスタＡＰ以外の全てのＡＰとしてもよい。また、ＡＰＣ１１が管理するＡＰのうち、マスタＡＰが使用する無線チャネルと同じ無線チャネルを使用するＡＰの全て又は一部をスレーブＡＰとしてもよい。または、ＡＰＣ１１が管理するＡＰのうち、マスタＡＰの位置から所定の範囲に位置するＡＰをスレーブＡＰとしても良い。あるいは、ＡＰＣ１１は、ＳＴＡ１５がＡＰと接続する前に実施するスキャンの結果を取得し、そのスキャンの結果に基づいて、スレーブＡＰを決定しても良い。
【０１６６】
なお、本実施の形態では、ＩＥＥＥ８０２．１１ａｄを例に説明したが、本開示は、指向性のあるビームパターンを使用して通信を行う無線通信規格に適用できる。
【０１６７】
また、本実施の形態では、ＡＰ１２がＳＴＡ１５へＧｒａｎｔパケットを送信した後、ＡＰ１２がＳＴＡ１５に対してＳＳＷを送信する例について説明したが、本開示はこれに限定されない。ＡＰ１２がＳＴＡ１５に対してＳＳＷを送信する処理（例えば、図１０ＡのＳ１６〜Ｓ２２）がなくてもよい。この場合、ＡＰ１２がＧｒａｎｔパケットを送信した後、ＳＴＡ１５がＧｒａｎｔパケットに含まれるトレーニングパケット数量のＳＳＷ（例えば、図８のＳＳＷ２１〜ＳＳＷ２３）の送信を開始しても良い。あるいは、ＡＰ１２がＳＴＡ１５に対してＳＳＷ（例えば、図８のＳＳＷ１１〜ＳＳＷ１３）を送信する処理の前に、ＳＴＡ１５がＡＰ１２に対してＳＳＷ（例えば、図８のＳＳＷ２１〜ＳＳＷ２３）を送信する処理が行われても良い。
【０１６８】
また、本実施の形態では、ＳＴＡ１５が複数のビームパターンを有し、通信に使用するビームパターンをビーム選択プロトコルにより決定する例について説明したが、本開示はこれに限定されない。ＳＴＡ１５は、複数のビームパターンを有さない、つまり、指向性制御を行わない無線端末であっても良い。この場合、上述のように、ＡＰ１２がＳＴＡ１５に対してＳＳＷ（例えば、図８のＳＳＷ１１〜ＳＳＷ１３）を送信する処理がなくてもよい。
【０１６９】
なお、本実施の形態におけるビーム選択プロトコルは、ビームフォーミングトレーニングと呼ばれても良い。また、本実施の形態における無指向性のビームパターンは、疑似オムニ（QuasiOmni）と呼ばれるビームパターンであっても良い。また、本実施の形態におけるビームパターンは、放射パターン、あるいは、セクタと呼ばれても良い。
【０１７０】
また、上述の実施の形態では、ＡＰＣ１１がＡＰとは別の装置として無線通信システムに含まれる構成の例について説明したが、本開示はこれに限定されない。ＡＰの少なくとも１つが、ＡＰＣの機能を有する構成であっても良い。
【０１７１】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１７２】
上記各実施の形態では、本開示はハードウェアを用いて構成する例にとって説明したが、本開示はハードウェアとの連携においてソフトウェアでも実現することも可能である。
【０１７３】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７４】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０１７５】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０１７６】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【０１７７】
＜本開示のまとめ＞
本開示の基地局制御装置は、無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定するトレーニングパケット数量決定部と、前記決定したトレーニングパケットの数量を前記第１の基地局装置へ通知する通知部と、を備える。
【０１７８】
また、本開示の基地局制御装置において、前記トレーニングパケット数量決定部は、前記数量Ｍおよび前記数量Ｓに１加算した数量のうち、大きい方の数量を前記トレーニングパケットの数量として決定する。
【０１７９】
また、本開示の基地局制御装置において、前記第２の基地局装置が複数存在する場合、前記トレーニングパケット数量決定部は、前記複数の第２の基地局装置それぞれの前記第２のビームパターンの数量のうち、最大の数量を前記第２のビームパターンの数量Ｓとして設定する。
【０１８０】
本開示の基地局装置は、接続していない無線端末から送信される複数のトレーニングパケットを受信する受信部と、前記受信した複数のトレーニングパケットの受信品質を算出する受信品質算出部と、を備え、前記受信部は、無指向性のビームパターンを使用して、前記複数のトレーニングパケットのうち、最初のトレーニングパケットを受信した後に指向性のビームパターンに切替え、前記最初のトレーニングパケットの後に続く前記複数のトレーニングパケットを受信し、前記受信品質算出部は、前記指向性のビームパターンを使用して受信した前記複数のトレーニングパケットの受信品質を算出する。
【０１８１】
本開示の制御方法は、複数の基地局装置を制御する制御方法であって、無線端末と接続している第１の基地局装置が使用する、指向性のある第１のビームパターンの数量Ｍと、前記無線端末と接続していない少なくとも１つの第２の基地局装置が使用する、指向性のある第２のビームパターンの数量Ｓとに基づいて、前記無線端末が送信するトレーニングパケットの数量を決定し、前記決定したトレーニングパケットの数量を前記第１の基地局装置へ通知する。
【産業上の利用可能性】
【０１８２】
本開示は、無線通信システムに有用である。
【符号の説明】
【０１８３】
１０  無線通信システム
１１  ＡＰＣ（Access Point Controller）
１２、１３、１４  ＡＰ（Access Point）
１５  ＳＴＡ（wireless station）
２０、３０  ＩＦ部
２１  ＡＰ制御部
２２  トレーニングパケット数量決定部
３１、４１  送受信部
３２、４２  ビーム選択プロトコル制御部
３３、４３  受信品質測定部
４４  トレーニングパケット数量判断部
【図１】
2018110336.tif 000003
【図２】
2018110336.tif 000004
【図３】
2018110336.tif 000005
【図４】
2018110336.tif 000006
【図５】
2018110336.tif 000007
【図６】
2018110336.tif 000008
【図７】
2018110336.tif 000009
【図８】
2018110336.tif 000010
【図９】
2018110336.tif 000011
【図１０Ａ】
2018110336.tif 000012
【図１０Ｂ】
2018110336.tif 000013
【図１１】
2018110336.tif 000014